(57)【特許請求の範囲】
【請求項１】
第１光伝送路が伝送する光信号を増幅する第１光増幅器、第２光伝送路が伝送する光信号を増幅する第２光増幅器、前記第１光増幅器を監視又は制御する第１監視制御部、前記第２光増幅器を監視又は制御する第２監視制御部、前記第１，第２監視制御部間の信号授受を行う制御部間信号接続部、外部からの給電路に接続して前記第１光増幅器及び前記第１監視制御部に電力を供給する第１給電部、この第１給電部に接続されて前記第２光増幅器及び前記第２監視制御部に前記第１給電部と異なる電位の電力を供給する第２給電部を備え、
前記制御部間信号接続部は電気／光変換手段を有し、前記第１，第２監視制御部の一方からの電気的信号を光信号に変換し、更に電気的信号に変換して他方に出力し、
前記第１，第２監視制御部は監視又は制御のための演算処理部を有すると共に外部からの指示により一方から他方の演算処理部を再起動可能に形成されていることを特徴とする光増幅中継器。
【請求項２】
第１，第２監視制御部は外部からの指示に基づき演算処理部への電力供給を所定時間断つリセット回路を有することを特徴とする請求項１に記載の光増幅中継器。
【請求項３】
第１，第２監視制御部は演算処理部の再起動時に前記演算処理部が用いる所定のソフトウェアプログラムを初期化することを特徴とする請求項２に記載の光増幅中継器。
【請求項４】
第１，第２監視制御部の少なくとも一方は演算処理部が再起動したことを示す応答信号を出力することを特徴とする請求項２または３に記載の光増幅中継器。
【発明の詳細な説明】
【０００１】
【発明の属する技術分野】
この発明は光伝送路が伝送する光信号を増幅する光増幅中継器に係わり、例えば、海中などに敷設した複数の光伝送路が伝送する光信号を増幅する複数の光増幅器をそれぞれ監視又は制御する複数の監視制御部に不具合が発生した場合の対策が可能な光増幅中継器に関するものである。
【０００２】
【従来の技術】
図４は双方向に通信が可能な２系統の光伝送路を有する光通信システムに用いられる従来の光増幅中継器を示す概念図である。図において、１０は光信号を伝送するケーブルであり、光伝送路である光ファイバ１０ａ，１０ｂ及び給電線である給電路１０ｃを有する。
【０００３】
また、１１は光増幅中継器であり、光ファイバ１０ａ，１０ｂが伝送する光信号を増幅する。なお、説明の都合上、光ファイバ１０ａは光信号を図中上方から下方に伝送し、光ファイバ１０ｂは光信号を同下方から上方に伝送するものとする。
【０００４】
また、１２，１３は光増幅中継器１１に搭載した光増幅器であり、それぞれ光ファイバ１０ａ，１０ｂが伝送する光信号を増幅する。
【０００５】
また、１４，１５は監視制御部であり、それぞれメモリ（不図示）に光増幅器１２，１３の監視、制御を行うためのソフトウェアプログラムである監視・制御プログラムを格納している。
【０００６】
また、１６は給電部であり、光増幅器１２、監視制御部１４に電力を供給する。１７は給電部であり、光増幅器１３、監視制御部１５に電力を供給する。なお、給電部１６，１７は給電路１０ｃに縦列に接続されており、給電部１７は後段になるので、電位は給電部１６の電位より低くなる。
【０００７】
また、１８はサブ回路部であり、光増幅器１２、監視制御部１４及び給電部１６から構成されている。１９はサブ回路部であり、光増幅器１３、監視制御部１５及び給電部１７から構成されている。
【０００８】
次に動作を図により説明する。図５は図４に示す光増幅器及び監視制御部のブロック説明図である。なお、サブ回路部１８，１９の動作はほぼ同一なので一方の動作、ここではサブ回路１８の動作を中心に説明する。光ファイバ１０ａの端末に接続した光送信機（不図示）は伝送情報からなる主信号と特定の光増幅中継器に対する指令などからなる副信号とを重畳した信号を光信号に変換して光ファイバ１０ａに送出する。その光信号は光ファイバ１０ａにより伝送されて光増幅中継器１１に入力する。
【０００９】
次に、光増幅中継器１１の光カプラ２０は入力した光信号の大部分（光信号全体の９０％以上）をエルビウム添加増幅用光ファイバ２１（以下、光ファイバと称す。）側に、一部（光信号全体の数％）を光／電気変換器２２側に分岐する。
【００１０】
まず、光ファイバ２１側に進んだ光信号に対する光増幅中継器１１の動作を説明する。光カプラ２３はその光信号に増幅用の励起光を合波する。
【００１１】
なお、励起光はレーザーダイオードなどからなる励起光発生部２４及びこれを駆動するレーザーダイオード駆動回路２５（以下、ＬＤ駆動回路と称す。）により生成されるものである。２６はフォトデテクタであり、励起光発生部２４の光出力パワーをモニタする。
【００１２】
次に、光ファイバ２１は励起光が合波した光信号を増幅して出力する。次に、アイソレータ２７は光ファイバ２１からの光信号を光カプラ２８側へのみ通過させる。
【００１３】
次に、光カプラ２８はアイソレータ２７からの光信号の大部分（光信号全体の９０％以上）を光ファイバ１０ａ側に、一部（光信号全体の数％）を光／電気変換器２９側に分岐する。なお、光／電気変換器２９側に分岐した光は、光／電気変換器２９により電気信号に変換されて副信号抽出部３０に入力される。副信号抽出部３０は副信号を抽出して監視制御部１４の演算処理部１４ａに帰還制御用の信号を出力する。
【００１４】
なお、光ファイバ１０ａ側に分岐した光信号は光増幅中継器１１により所定量増幅された信号であり、次の光増幅中継器（不図示）又は光受信機（不図示）に向けて送出される。
【００１５】
また、光／電気変換器２２側に分岐した光信号に対する光増幅中継器１１の動作を説明する。光／電気変換器２２は光信号を電気信号に変換して出力し、フィルタ及び復調回路（不図示）からなる副信号抽出部３０がその電気信号から副信号部分を抽出する。
【００１６】
次に、監視制御部１４の演算処理部１４ａが監視・制御プログラムに基づきその副信号に含まれる動作指令を解読し、その指令に基づき光増幅器１２を含む全体的な監視又は光増幅器１２の制御を行う。
【００１７】
なお、監視制御部１４（１５）による監視は、例えば、励起光発生部２４の光出力強度、ＬＤ駆動回路２５が励起光発生部２４に供給する駆動電流、光増幅中継器１１に入力する光信号の強度及び光増幅中継器１１から出力する光信号の強度等などの測定及び測定結果の出力などがある。また、監視制御部１４（１５）の制御は、例えば、ＬＤ駆動回路２５の駆動電流制御、監視情報を出力する際の変調度制御等などがある。
【００１８】
次に、例えば、監視制御部１４は光送信機（不図示）からの指令が監視情報の出力と解読した場合、監視情報を所定の変調度で変調してＬＤ駆動回路２５に出力する。
【００１９】
次に、ＬＤ駆動回路２５は監視制御部１４からの変調した信号に基づき励起光発生部２４を駆動して励起光を発生させる。この励起光は上述のとおり光カプラ２３により光信号に合波される。
【００２０】
次に、監視情報を含む励起光が合波した光信号は、光受信機（不図示）により受信されて、主信号と監視情報を含む励起光成分とに分けられ、それぞれ復調されて伝送情報及び監視情報に変換される。
【００２１】
【発明が解決しようとする課題】
従来の光増幅中継器は以上のように構成されているので、監視制御部が正常動作しない場合、例えば、それらの演算処理部が定められた動作をするための監視・制御プログラムが何らかの影響で暴走した場合、光増幅器の監視又は制御ができなくなり、ひいてはその光増幅器を接続している光伝送路上の光増幅中継器の各監視制御部すべてが使用できなくなるという問題点がある。
この問題点は同一光増幅中継器に搭載された監視制御部のうち、暴走した一方の監視制御部を他方の正常な監視制御部が起動し直すことができるように、監視制御部間に配線とそのためのプログラムなどを設定することにより解消が可能である。しかし、それぞれの監視制御部に電力を供給する給電部はそれぞれ供給する電位が異なるので、監視制御部間の信号授受が難しいという問題点がある。
【００２２】
この発明は以上の問題点を解消するためになされたもので、正常動作しなくなった一方の監視制御部を他方の正常な監視制御部により正常復帰させることができる光増幅中継器を得ること。また、監視制御部毎に供給される電力の電位が異なっていても、簡単な構成で監視制御部間の信号授受を行うことができる光増幅中継器を得ることを目的とする。
【００２３】
【課題を解決するための手段】
この発明の光増幅中継器は、第１光伝送路が伝送する光信号を増幅する第１光増幅器、第２光伝送路が伝送する光信号を増幅する第２光増幅器、前記第１光増幅器を監視又は制御する第１監視制御部、前記第２光増幅器を監視又は制御する第２監視制御部、前記第１，第２監視制御部間の信号授受を行う制御部間信号接続部、外部からの給電路に接続して前記第１光増幅器及び前記第１監視制御部に電力を供給する第１給電部、この第１給電部に接続されて前記第２光増幅器及び前記第２監視制御部に前記第１給電部と異なる電位の電力を供給する第２給電部を備え、前記制御部間信号接続部は電気／光変換手段を有し、前記第１，第２監視制御部の一方からの電気的信号を光信号に変換し、更に電気的信号に変換して他方に出力し、前記第１，第２監視制御部は監視又は制御のための演算処理部を有すると共に外部からの指示により一方から他方の演算処理部を再起動可能に形成されているものである。
【００２７】
この発明の光増幅中継器は、第１，第２監視制御部は外部からの指示に基づき演算処理部への電力供給を所定時間断つリセット回路を有するものである。
【００２８】
この発明の光増幅中継器は、第１，第２監視制御部は演算処理部の再起動時に前記演算処理部が用いる所定のソフトウェアプログラムを初期化するものである。
【００２９】
この発明の光増幅中継器は、第１，第２監視制御部の少なくとも一方は演算処理部が再起動したことを示す応答信号を出力するものである。
【００３０】
【発明の実施の形態】
実施の形態１．
この発明による光増幅中継器の一実施の形態を説明する。図１は実施の形態１による光増幅中継器を示す説明図である。図２は図１に示す監視制御部のブロック説明図、図３は図１に示す制御部間信号接続部のブロック説明図である。図において、図４又は図５と同一符号は同一又は相当部分を示し説明を省略する。図において、１は光増幅中継器であり、給電路１０ｃから直流電源の供給を受け、光ファイバ１０ａ，１０ｂが伝送する光信号を増幅する。２，３は監視制御部であり、それぞれ光増幅器１２，１３の監視及び制御を行うためのソフトウェアプログラムである監視・制御プログラムをメモリ（不図示）に格納している。なお、監視制御部２，３は図４に示す監視制御部１４，１５と同等の監視・制御機能を有している。
【００３１】
また、４，５は制御部間信号接続部であり、電気／光変換手段であるフォトカプラを有して監視制御部２，３間の信号授受を行う。１８ａはサブ回路部であり、監視制御部２、制御部間信号接続部４，５の一部、光増幅器１２及び給電部１６を含む。１９ａはサブ回路部であり、監視制御部３、制御部間信号接続部４，５の一部、光増幅器１３及び給電部１７を含む。なお、サブ回路１８ａは給電部１６から電力を供給され、サブ回路１９ａは給電部１７から電力を供給されている。
【００３２】
なお、光増幅中継器１は符号２〜５を付した構成及び符号１２、１３、１６、１７、１８ａ及び１９ａを付した構成を含む。
【００３３】
図２において、２ａ，３ａは演算処理部であり、メモリ（不図示）に記憶した監視又は制御するための所定のソフトウェアプログラムにより、光増幅器１２，１３の監視動作又は制御動作を行う。２ｂ，３ｂはリセット回路であり、制御部間信号接続部４（５）からのリセット信号を受け、演算処理部２ａ，３ａを再起動する。
【００３４】
図３において、４ａ，５ａは発光ダイオードであり、監視制御部２，３（図１に示す）からの電気信号に基づき発光する。４ｂ，５ｂはフォトダイオードであり、発光ダイオード４ａ，５ａからの光を検出して電気的な検出信号を出力する。発光ダイオード４ａ，５ａ及びフォトダイオード４ｂ，５ｂよりそれぞれ電気／光変換手段であるフォトカプラを形成する。４ｃ，５ｃは増幅器であり、フォトダイオード４ｂ，５ｂからの検出信号を増幅してリセット回路２ｂ，３ｂ（図２に示す）に出力する。
【００３５】
なお、発光ダイオード４ａ、フォトダイオード５ｂ、増幅器５ｃは給電部１６から電力を供給され、発光ダイオード５ａ、フォトダイオード４ｂ、増幅器４ｃは給電部１７から電力を供給されている。
【００３６】
次に動作を図により説明する。サブ回路１８ａ，１９ａ（図１に示す）は同等であるので、サブ回路１８ａの動作を中心に説明する。第１光伝送路である光ファイバ１０ａ（図１に示す）の端末に接続した光送信機（不図示）は、伝送情報からなる主信号と特定の光増幅中継器１に対する指令などからなる副信号とを重畳した信号を光信号に変換して光ファイバ１０ａに送出する。その光信号は光ファイバ１０ａにより伝送されて光増幅中継器１（図１に示す）に入力する。
【００３７】
なお、副信号には光増幅中継器１ごとに設定されたアドレスコードが含まれており、そのアドレスコードに一致する光増幅中継器１のみが指令内容を解読して実行する。
【００３８】
次に、光増幅中継器１の光増幅器１２（図１に示す）の光カプラ２０（図５に示す）は入力した光信号の大部分（光信号全体の９０％以上）を光ファイバ２１（図５に示す）側に、一部（光信号全体の数％）を光／電気変換器２２（図５に示す）側に分岐する。
なお、光ファイバ２１側に進行した光信号に対する光増幅器１２の動作は図５に示すものと同等であるので説明を省略する。
【００３９】
次に、光／電気変換器２２は光信号を電気信号に変換して出力し、フィルタ（不図示）及び復調回路（不図示）からなる副信号抽出部３０（図２に示す）がその電気信号から副信号部分を抽出する。
【００４０】
次に、演算処理部２ａ（図２に示す）が監視・制御プログラムに基づきその副信号に含まれるアドレスコードとメモリ（不図示）に記憶したアドレスコードとを比較し、両者が一致した場合に動作指令を解読し、その指令に基づき光増幅器１２を含む全体的な監視及び光増幅器１２の制御を行う。
【００４１】
なお、監視制御部２（３）による監視は、図５に示す監視制御部１４，１５と同様に励起光発生部２４の光出力強度、ＬＤ駆動回路２５が励起光発生部２４に供給する駆動電流、光増幅中継器１に入力する光信号の強度及び光増幅中継器１から出力する光信号の強度等などの測定及び測定結果の出力などがある。また同様に監視制御部２（３）の制御は、ＬＤ駆動回路２５の駆動電流制御、監視情報を出力する際の変調度制御等などがある。
【００４２】
次に、監視制御部２の演算処理部２ａが監視・制御プログラムに基づき光送信機（不図示）からの指令を解読するが、ここで、例えば、何らかの影響により監視・制御プログラムが暴走して、演算処理部２ａが機能しなくなった場合について説明する。演算処理部２ａが機能しなくなった場合、光増幅中継器１は光送信機（不図示）からの指令に対して応答信号を出力できないので、光受信機（不図示）側で光増幅中継器１に何かしらの不具合が発生したことが確認される。
【００４３】
次に、第２光伝送路である光ファイバ１０ｂ（図１に示す）に接続した光送信機（不図示）から不具合が生じた光増幅中継器１に対し、監視制御部２の演算処理部２ａを再起動させるリセット指令を送出する。
【００４４】
次に、光増幅中継器１の光増幅器１３（図１に示す）の光カプラ２０（図２に示す）は入力した光信号の大部分（光信号全体の９０％以上）を光ファイバ２１（図２に示す）側に、一部（光信号全体の数％）を光／電気変換器２２（図２に示す）側に分岐する。
【００４５】
次に、光／電気変換器２２は光信号を電気信号に変換して出力し、フィルタ（不図示）及び復調回路（不図示）からなる副信号抽出部３０（図２に示す）がその電気信号から副信号部分を抽出する。
【００４６】
次に、演算処理部３ａ（図２に示す）がメモリ（不図示）に記憶した監視・制御プログラムに基づきその副信号に含まれるアドレスコードとメモリに記憶したアドレスコードとを比較し、両者が一致した場合に動作指令を解読する。この場合の動作指令は上述の通り監視制御部２の演算処理部２ａを再起動する指令であるので、演算処理部３ａは制御部間信号接続部５にリセット信号を出力する。
【００４７】
次に、制御部間信号接続部５の発光ダイオード５ａはリセット信号に基づき発光する。フォトダイオード５ｂはその光を検出して検出信号を出力する。増幅器５ｃはその検出信号を増幅してリセット回路２ｂに出力する。
【００４８】
次に、リセット回路２ｂは制御部間信号接続部５からの検出信号、すなわちリセット信号を受けてリレー（不図示）を動作させ、給電部１６からの演算処理部２ａへの電力供給を所定時間断とする。
【００４９】
次に、所定時間経過後、給電部１６から演算処理部２ａへの電力供給が再開すると、演算処理部２ａはメモリ（不図示）に格納した起動プログラムにより自動的に再起動する。なお、この再起動時に演算処理部２ａ内部のパワーオンリセット回路（不図示）が所定のプログラムを初期化する。この実施の形態１では演算処理部２ａは書き込み／読み取り可能なメモリ（不図示）から監視・制御プログラムを読み出して通常の監視動作・制御動作時に使用するメモリにコピーし、監視・制御プログラムを初期化する。
【００５０】
次に、演算処理部２ａは再起動すると、監視情報を収集し出力する。すなわち、演算処理部２ａは励起光発生部２４の光出力強度、ＬＤ駆動回路２５が励起光発生部２４に供給する駆動電流、光増幅中継器１に入力する光信号の強度及び光増幅中継器１から出力する光信号の強度等などを測定し、その測定結果を所定の変調度で変調して生成した変調信号をＬＤ駆動部２５に出力する。
【００５１】
次に、ＬＤ駆動回路２５は監視制御部２からの変調信号に基づき励起光発生部２４を駆動して励起光を発生させる。この励起光は図５に示すものと同様に光カプラ２３により光信号に合波され、光ファイバ１０ａにより光受信機（不図示）に受信される。
【００５２】
次に、光受信機（不図示）側では再起動を指示した光増幅中継器１の監視制御部２からの再起動時の各監視対象の情報を含む応答を受けて、その監視制御部２が正常状態に復帰したことを確認すると共にその監視情報に基づいた対応をすることができる。
【００５３】
なお、詳細な説明は省略するが、上述の監視制御部３の演算処理部３ａはリセット信号を出力した後、リセット信号出力を示す応答コードを変調して生成した変調信号をＬＤ駆動回路２５に出力し、光受信機（不図示）側でリセット信号が出力されたことを確認できるようにしている。
【００５４】
なお、監視制御部３の演算処理部３ａが上述のような理由で機能しなくなった場合は、光送信機（不図示）から監視制御部２に対して演算処理部３ａを再起動させるリセット指令を出力すれば良い。すると、監視制御部２がリセット信号を制御部間信号接続部４に出力し、制御部間信号接続部４は制御部間信号接続部５と同様に動作してリセット信号を光信号に変換し、さらにその光信号を検出した電気的な信号である検出信号をリセット回路３ｂに出力する。この検出信号に基づきリセット回路３ｂがリセット回路２ｂと同様に動作して演算処理部３ａを再起動するので、演算処理部３ａを正常状態に復帰させることができる。
【００５５】
なお、運用上の保守作業などで特定の監視制御部を再起動させたい場合、光送信機（不図示）から監視制御部２，３に対してそれぞれの演算処理部２ａ，３ａを再起動させるリセット指令を出力すれば良い。すると監視制御部２，３はそのリセット指令に基づきそれぞれの演算処理部２ａ，３ａを再起動させ、再起動後、上述通りに監視情報を出力する。予め再起動時に出力する監視情報を設定することにより、所望の監視情報を一度に得ることができる。
【００５６】
この実施の形態１による光増幅中継器１によれば、制御部間信号接続部４，５が監視制御部２，３の一方からの電気的な信号であるリセット信号を光信号に変換し、さらに電気的な信号である検出信号に変換して他方に出力するので、監視制御部２，３間の信号授受が可能であり、一方の監視制御部の演算処理部２ａ又は３ａに監視・制御プログラムなどの暴走による不具合が発生しても他方の監視制御部からその不具合の発生した演算処理部２ａ又は３ａを再起動させて正常状態に復帰させることができる。
【００５７】
また、制御部間信号接続部４，５は監視制御部２に電気的に接続した発光ダイオード４ａ、フォトダイオード５ｂは給電部１６から電力を供給され、監視制御部３に電気的に接続した発光ダイオード５ａ、フォトダイオード４ｂは給電部１７から電力を供給されているので、給電部１６，１７の電位が異なっていても監視制御部２，３間の信号授受を簡単な構成で円滑に行うことができる。
【００５８】
また、監視制御部２，３はそれぞれ外部からの指示に基づき演算処理部２ａ，３ａを再起動するリセット回路２ｂ，３ｂを有するので、演算処理部２ａ，３ａの一方が機能しなくなった場合に、その一方側のリセット回路２ｂ，３ｂにより再起動させて正常状態に復帰させることができる。
【００５９】
また、演算処理部２ａ，３ａを再起動時に監視・制御プログラムを初期化するので、プログラム的な不具合が再起動後の監視・制御動作に悪影響を及ぼすのを防止できる。
【００６０】
また、監視制御部２，３の少なくとも一方は演算処理部２ａ，３ａの再起動を示す応答信号を出力するので、その後の光増幅中継器１に対する監視・制御を円滑に進めることができる。
【００６１】
また、監視制御部２，３はそれぞれの演算処理部２ａ，３ａの再起動時に所定の監視情報を出力するので、その後の光増幅中継器１に対する監視・制御を円滑に進めることができる。また、運用時の保守作業などで監視情報が必要な場合にも有効である。
【００６２】
【発明の効果】
この発明の光増幅中継器によれば、第１光伝送路が伝送する光信号を増幅する第１光増幅器、第２光伝送路が伝送する光信号を増幅する第２光増幅器、第１光増幅器を監視又は制御する第１監視制御部、第２光増幅器を監視又は制御する第２監視制御部、第１，第２監視制御部間の信号授受を行う制御部間信号接続部、外部からの給電路に接続して第１光増幅器及び第１監視制御部に電力を供給する第１給電部、この第１給電部に接続されて第２光増幅器及び第２監視制御部に第１給電部の電位と異なる電位の電力を供給する第２給電部を備え、制御部間信号接続部は電気／光変換手段を有し、第１，第２監視制御部の一方からの電気的信号を光信号に変換し、更に電気的信号に変換して他方に出力し、第１，第２監視制御部は監視又は制御のための演算処理部を有すると共に外部からの指示により一方から他方の演算処理部を再起動可能に形成されているので、例えば、演算処理部の何れか一つがプログラムの暴走などで機能しなくなっても正常動作可能な演算処理部からその機能しなくなった演算処理部を再起動させて正常状態に復帰させることができる。
【００６６】
この発明の光増幅中継器によれば、第１，第２監視制御部は外部からの指示に基づき演算処理部への電力供給を所定時間断つリセット回路を有するので、簡単な構成で演算処理部を再起動させることができる。
【００６７】
この発明の光増幅中継器によれば、第１，第２監視制御部は演算処理部の再起動時に演算処理部それぞれの所定のソフトウェアプログラムを初期化するので、例えば、プログラム的な不具合が再起動後の監視・制御動作に悪影響を及ぼすのを防止できる。
【００６８】
この発明の光増幅中継器によれば、第１，第２監視制御部の少なくとも一方は演算処理部が再起動したことを示す応答信号を出力するので、その後の光増幅中継器に対する監視・制御を円滑に進めることができる。
【図面の簡単な説明】
【図１】  この発明の実施の形態１による光増幅中継器を示す説明図である。
【図２】  図１に示す監視制御部のブロック説明図である。
【図３】  図３は図１に示す制御部間信号接続部のブロック説明図である。
【図４】  従来の光増幅中継器を示す説明図である。
【図５】  図４に示す従来の光増幅中継器の光増幅器の説明図である。
【符号の説明】
１  光増幅中継器、  ２，３  監視制御部、  ２ａ，３ａ  演算処理部、  ２ｂ，３ｂ  リセット回路、  ４，５  制御部間信号接続部、  ４ａ，５ａ  発光ダイオード、  ４ｂ，５ｂ  フォトダイオード、  ４ｃ，５ｃ  増幅器、  １２，１３  光増幅器、  １６，１７  給電部、  １８ａ，１９ａ  サブ回路、  ２０  光カプラ、  ２１  エルビウム添加増幅用光ファイバ、  ２２  光／電気変換器、  ２３  波長分割多重カプラ、  ２４  励起光発光部、  ２５  レーザーダイオード駆動回路、  ２６  フォトデテクタ、  ２７  アイソレータ、  ２８光カプラ、  ２９  光／電気変換器、  ３０  副信号抽出部。
【図１】
0003807197.tif 000002
【図２】
0003807197.tif 000003
【図３】
0003807197.tif 000004
【図４】
0003807197.tif 000005
【図５】
0003807197.tif 000006